(57)【要約】【課題】簡単な構成で、包装作業性もよく、ランプを確実に保護できる包装箱を提供する。【解決手段】ランプ13を収納した箱本体24上に、第１のフラップ25、第２のフラップ26および蓋部27を順に折り曲げて組み立てる。第１のフラップ25の保持部43により、箱本体24の内壁面との間にランプ13の口金17側の周囲を囲んで保持するとともに、上方への移動を規制する。保持部43には、スリット44を設ける。第２のフラップ26の押え部50の突片52を保持部43のスリット44に係合させ、第２のフラップ26で第１のフラップ25を保持する。【選択図】図１
2011157114.tif 000002
【特許請求の範囲】
【請求項１】
収納部およびこの収納部の一端に開口する開口部が形成され、開口部側に口金を向けたランプが収納部に収納される六面体形状の箱本体と；
箱本体の一端側の第１の辺から収納部内に折り曲げられ、箱本体の内壁面に対向してこの内壁面との間でランプの口金側の周囲を囲んで保持するとともに開口部側へのランプの移動を規制する保持部、および保持部の位置に設けられた第１の係合部を有する第１のフラップと；
箱本体の一端側の第１の辺に対向する第２の辺から開口部を覆うように折り曲げられる覆い部、およびこの覆い部の先端から収納部内へ向けて折り曲げられるとともに第１のフラップの第１の係合部に係合する第２の係合部が形成された押え部を有する第２のフラップと；
箱本体の一端側の第１および第２の辺とは異なる辺から開口部を覆うように折り曲げられる蓋部と；
を具備していることを特徴とする包装箱。
【請求項２】
請求項１記載の包装箱と；
包装箱に収納されたランプと；
を具備していることを特徴とする包装体。
【発明の詳細な説明】
【技術分野】
【０００１】
本発明は、口金を有するランプを包装する包装箱、およびこの包装箱でランプを包装した包装体に関する。
【背景技術】
【０００２】
従来、口金を有するランプを包装して保護する包装箱としては、１枚の包装材を折り曲げることで形成しているものがある。この包装箱では、１枚の包装材から一端が開口された六面体形状の箱本体が形成され、この箱本体の一端側の対向する２辺にフラップが形成され、残りの２辺のうちの１辺に蓋部が形成されている。そして、一方のフラップを箱本体の内側に折り曲げ、この一方のフラップと箱本体の隣り合う２面の内壁面との間にランプの口金側の周囲を囲んで保持するとともに、この一方のフラップの先端の切り起こされた切起片を箱本体の開口側へ向けて立ち上げ、他方のフラップを箱本体の開口に折り曲げ、蓋部を箱本体の開口を覆うように折り曲げることにより、ランプを包装している。これにより、切起片の先端が他方のフラップの面に当接し、一方のフラップによって箱本体の開口側へのランプの移動を規制している（例えば、特許文献１参照。）。
【０００３】
また、ランプの口金部分を保持する別の緩衝材を用いた包装箱もある（例えば、特許文献２参照。）。
【先行技術文献】
【特許文献】
【０００４】
【特許文献１】特開２００４−５１２２２号公報（第３−４頁、図１−６）
【特許文献２】特開２００７−３９１２６号公報（第４頁、図３）
【発明の概要】
【発明が解決しようとする課題】
【０００５】
しかしながら、１枚の包装材を折り曲げて形成された包装箱では、切起片を有する一方のフラップによって箱本体の開口側へのランプの移動を規制しているが、切起片の先端は他方のフラップの面に当接しているだけであるため、切起片が位置ずれすると、箱本体の開口側へのランプの移動を規制できず、包装箱の落下時などに口金が損傷するおそれがある。
【０００６】
特に、口金を有するランプとしては、電球の他に、電球形蛍光ランプや、ＬＥＤを光源としたＬＥＤランプなどがあり、電球形蛍光ランプではトランスを含む点灯回路を内蔵していて重く、ＬＥＤランプでは放熱のために金属製の筐体を用いていて重いため、包装箱ごと落下した場合、落下の強い衝撃で切起片が位置ずれしやすく、口金が損傷するおそれがある。
【０００７】
また、ランプの口金部分を保持する別の緩衝材を用いた包装箱では、落下時の口金の保護が確実になるが、別の緩衝材を用いるため、包装作業が繁雑になり、包装材料の使用量が増加する問題がある。
【０００８】
本発明は、このような点に鑑みなされたもので、簡単な構成で、包装作業性もよく、ランプを確実に保護できる包装箱、およびこの包装箱を用いた包装体を提供することを目的とする。
【課題を解決するための手段】
【０００９】
請求項１記載の包装箱は、収納部およびこの収納部の一端に開口する開口部が形成され、開口部側に口金を向けたランプが収納部に収納される六面体形状の箱本体と；箱本体の一端側の第１の辺から収納部内に折り曲げられ、箱本体の内壁面に対向してこの内壁面との間でランプの口金側の周囲を囲んで保持するとともに開口部側へのランプの移動を規制する保持部、および保持部の位置に設けられた第１の係合部を有する第１のフラップと；箱本体の一端側の第１の辺に対向する第２の辺から開口部を覆うように折り曲げられる覆い部、およびこの覆い部の先端から収納部内へ向けて折り曲げられるとともに第１のフラップの第１の係合部に係合する第２の係合部が形成された押え部を有する第２のフラップと；箱本体の一端側の第１および第２の辺とは異なる辺から開口部を覆うように折り曲げられる蓋部と；を具備しているものである。
【００１０】
ランプは、白熱電球、電球形蛍光ランプ、ＬＥＤランプなど口金を有するランプであればいずれでも構わない。
【００１１】
第１のフラップの保持部が保持するランプの口金側とは、口金でもよいし、白熱電球などの場合には口金に近い発光部、ＬＥＤランプであれば口金に近い基体の部分でもよい。
【００１２】
第１のフラップの第１の係合部と第２のフラップの第２の係合部との係合構造は、例えば、第１のフラップに設けたスリットに第２のフラップに設けた突片を係合してもよいし、収納部内に斜めに折り曲げられた第１のフラップと口金との間に第２のフラップの先端を差し込んで係合してもよい。
【００１３】
請求項２記載の包装体は、請求項１記載の包装箱と；包装箱に収納されたランプと；を具備しているものである。
【発明の効果】
【００１４】
請求項１記載の包装箱によれば、箱本体との間でランプの口金側を保持する第１のフラップの保持部に、第２のフラップの押え部が係合し、第１のフラップの保持部によるランプの保持を確実に維持させることができるため、簡単な構成で、包装作業性もよく、ランプを確実に保護できる。
【００１５】
請求項２記載の包装体によれば、包装箱によってランプを確実に保護できる。
【図面の簡単な説明】
【００１６】
【図１】本発明の第１の実施の形態を示す包装箱の断面図である。
【図２】同上包装箱の包装工程を示す斜視図である。
【図３】同上包装箱の図２に続く包装工程を示す斜視図である。
【図４】同上包装箱の図３に続く包装工程を示す斜視図である。
【図５】同上包装箱の図４に続く包装工程を示す斜視図である。
【図６】同上包装箱の展開図である。
【図７】本発明の第２の実施の形態を示す包装箱の断面図である。
【図８】同上包装箱の斜視図である。
【図９】同上包装箱の展開図である。
【発明を実施するための形態】
【００１７】
以下、本発明の実施の形態を、図面を参照して説明する。
【００１８】
図１ないし図６に第１の実施の形態を示す。
【００１９】
図１において、11は包装体で、この包装体11は、包装箱12およびこの包装箱12に収納されて包装されるランプ13を有している。
【００２０】
ランプ13は、例えば、光源としてＬＥＤを用いたＬＥＤランプであり、放熱体を兼ねる金属製の基体16、この基体16の一端に設けられたＥ２６形の口金17、基体16の他端面に設けられた図示しないＬＥＤ基板、およびＬＥＤ基板を覆って基体16の他端に設けられたグローブ18を備え、基体16内に点灯回路が収納されている。
【００２１】
図１ないし図６に包装箱12を示し、以下、包装箱12の一端を上、他端を下として説明する。包装箱12は、１枚の包装材21によって形成されており、収納部22およびこの収納部22の上面に開口する開口部23を有する六面体形状の箱本体24、この箱本体24の上端側で一方の互いに対向する第１の辺24aおよび第２の辺24bにそれぞれ形成された第１のフラップ25および第２のフラップ26、他方の互いに対向する第３の辺24cおよび第４の辺24dのうち第４の辺24dに形成された蓋部27を有している。ランプ13は、口金17を上方に向けた状態で箱本体24の収納部22に収納される。
【００２２】
箱本体24は、並列に形成された４面の側面部30a，30b，30c，30dおよび糊代部31が折り目32を介して筒状に折り曲げられるとともに糊代部31が側面部30dに糊付けされて四角形筒状に形成されている。
【００２３】
各側面部30a，30b，30c，30dの底辺から底面部33a，33b，33c，33dが折り目34を介して箱本体24の底面に折り曲げられているとともに、底面部33c，33dに形成されている糊代部35c，35dが隣り合う底面部33a，33bに糊付けされ、箱本体24の底面が閉塞されている。
【００２４】
そして、この箱本体24に収納されるランプ13は、箱本体24の隣り合う２つの側面部30b，30cの内壁面に口金17の周面が接触するようにランプ軸が斜めの状態で収納される。
【００２５】
また、第１のフラップ25は、側面部30aから折り目38を介して形成され、箱本体24の収納部22内に折り曲げられる覆い部39、およびこの覆い部39の先端に折り目40を介して形成された接触部41を有している。
【００２６】
覆い部39の一側には、箱本体24の隣り合う２つの側面部30b，30cの内壁面との間からランプ13の口金17が突出するのを許容する切欠部42が形成され、この切欠部42の縁部付近がランプ13を保持する保持部43として形成されている。この保持部43は、箱本体24の隣り合う２つの側面部30b，30cの内壁面との間でランプ13の口金17側（口金17や口金17に近い基体16の部分を含む）の周囲を四方から囲んで水平方向の位置を位置決め保持するとともに、ランプ軸が斜めに配置されているランプ13の傾斜状の外面との当接によってランプ13が上方へ移動するのを規制する。この保持部43には、第１の係合部としてのスリット44が第１の辺24aと平行でかつ切欠部42に連通して形成されている。
【００２７】
接触部41は、覆い部39が箱本体24の内側に折り曲げられた状態で、側面部30bの内壁面に当接し、その接触抵抗によって覆い部39が箱本体24の内側に折り曲げられた状態に保持する。
【００２８】
また、第２のフラップ26は、側面部30bから折り目47を介して形成され、開口部23を覆う覆い部48、およびこの覆い部48の先端から折り目49を介して形成された押え部50を有している。
【００２９】
押え部50の先端には、箱本体24の収納部22内に折り曲げられた第１のフラップ25の上面に当接する当接部51、およびスリット44に差し込まれる第２の係合部としての突片52が突出形成されている。
【００３０】
また、蓋部27は、側面部30dから折り目55を介して形成された覆い部56、およびこの覆い部56の先端から折り目57を介して形成された差込部58を有し、覆い部56で開口部23の全体を覆い、差込部58が箱本体24の側面部30cと第１および第２のフラップ25，26との間に差し込まれる。
【００３１】
次に、包装箱12にランプ13を収納して包装する動作について説明する。
【００３２】
まず、図２に示すように、箱本体24から第１および第２のフラップ25，26および蓋部27を開き、開口部23を開放した状態で、口金17を上方へ向けたランプ13を開口部23から収納部22に挿入し、口金17の周面が箱本体24の隣り合う２つの側面部30b，30cの内壁面に接触するようにランプ軸を斜め状態として収納配置する。
【００３３】
続いて、図３に示すように、第１のフラップ25を箱本体24の開口部23から収納部22内に折り曲げながら押し込む。これにより、第１のフラップ25の覆い部39の切欠部42からランプ13の口金17が突出し、保持部43が、箱本体24の隣り合う２つの側面部30b，30cの内壁面との間でランプ13の口金17側（口金17や口金17に近い基体16の部分を含む）の周囲を四方から囲んで水平方向の位置を位置決め保持するとともに、ランプ軸が斜めに配置されているランプ13の傾斜状の外面との当接によってランプ13が上方へ移動するのを規制する。
【００３４】
第１のフラップ25の接触部41は、覆い部39が箱本体24の内側に折り曲げられると、側面部30bの内壁面に当接し、その接触抵抗によって覆い部39が箱本体24の内側に折り曲げられた状態に保持する。
【００３５】
続いて、図４に示すように、第２のフラップ26の覆い部48を箱本体24の開口部23を覆うように折り曲げ、押え部50を箱本体24の開口部23から収納部22内に挿入し、押え部50の先端の突片52を第１のフラップ25のスリット44に差し込むとともに、当接部51を第１のフラップ25の上面に当接させる。
【００３６】
続いて、図５に示すように、蓋部27の覆い部56を箱本体24の開口部23を覆うように折り曲げ、差込部58を箱本体24の側面部30cと第１および第２のフラップ25，26との間に差し込む。これにより、包装完了となり、包装箱12にランプ13が収納包装された包装体11が形成される。
【００３７】
そして、このようにランプ13を包装した包装箱12では、第１のフラップ25の保持部43が箱本体24の内側の所定の保持位置に折り曲げられていることにより、この保持部43が、箱本体24の隣り合う２つの側面部30b，30cの内壁面との間でランプ13の口金17側（口金17や口金17に近い基体16の部分を含む）の周囲を四方から囲んで水平方向の位置を位置決め保持しているとともに、ランプ軸が斜めに配置されているランプ13の傾斜状の外面との当接によってランプ13が上方へ移動するのを規制し、箱本体24の底面との間で上下方向の位置を位置決め保持している。
【００３８】
第２のフラップ26の覆い部48および押え部50で第１のフラップ25の上方に突出する口金17を囲み、押え部50の先端の突片52が第１のフラップ25のスリット44に差し込まれているとともに、当接部51が第１のフラップ25の上面に当接し、第１のフラップ25を所定の保持位置に位置するように保持している。
【００３９】
さらに、蓋部27が第２のフラップ26を保持し、第２のフラップ26で第１のフラップ25を所定の保持位置に位置するように保持している。
【００４０】
そのため、ランプ13を収納した包装箱12を床面などに落した場合でも、第１のフラップ25は所定の保持位置に位置し、ランプ13を確実に保持しているため、ランプ13の口金17に衝撃が加わって損傷するのを防止できる。
【００４１】
このように、箱本体24との間でランプ13の口金17側を保持する第１のフラップ25の保持部43に、第２のフラップ26の押え部50が係合し、第１のフラップ25の保持部43によるランプ13の保持を確実に維持させることができるため、別の緩衝材を用いることなく、簡単な構成で、包装作業性もよく、ランプ13を確実に保護できる。
【００４２】
次に、図７ないし図９に第２の実施の形態を示す。
【００４３】
包装箱12は、包装収納するランプ13の種類がＥ１７形の口金17を用いたミニクリプトンサイズの場合を示す。
【００４４】
包装箱12は、１枚の包装材21によって形成されており、収納部22およびこの収納部22の上面に開口する開口部23を有する六面体形状の箱本体24、この箱本体24の上端側で一方の互いに対向する第１の辺24aおよび第２の辺24bにそれぞれ形成された第１のフラップ25および第２のフラップ26、他方の互いに対向する第３の辺24cおよび第４の辺24dにそれぞれ形成された吊下げ表示部61および蓋部27を有している。ランプ13は、口金17を第１の辺24a側に向けた横向き状態で箱本体24の収納部22に収納される。
【００４５】
箱本体24は、並列に形成された４面の側面部30a，30b，30c，30dおよび糊代部31が折り目32を介して筒状に折り曲げられるとともに糊代部31が側面部30bに糊付けされて、高さが低く横長で上面が開口した四角形筒状に形成されている。
【００４６】
各側面部30a，30b，30c，30dの底辺から底面部33a，33b，33c，33dが折り目34を介して箱本体24の底面に折り曲げられているとともに、底面部33c，33dに形成されている糊代部35c，35dが隣り合う底面部33a，33bに糊付けされ、箱本体24の底面が閉塞されている。
【００４７】
そして、この箱本体24に収納されるランプ13は、箱本体24の側面部30a側に口金17を向けて、箱本体24の底面上に口金17および基体16が接触してランプ軸が斜めになる状態に収納される。
【００４８】
また、第１のフラップ25は、側面部30aから折り目38を介して形成され、箱本体24の収納部22内に折り曲げられる。第１のフラップ25の先端にはランプ13の口金17側の周囲に嵌り込む凹状の切欠部42が形成され、この切欠部42の縁部付近がランプ13を保持する保持部43として形成されている。この保持部43は、箱本体24の底面側の内壁面との間でランプ13の口金17側（口金17や口金17に近い基体16の部分を含む）の周囲を四方から囲んで上下方向および水平方向の位置を位置決め保持するとともに、ランプ軸が斜めに配置されているランプ13の傾斜状の外面との当接によってランプ13の口金17が側面部30aの方向へ移動するのを規制する。この保持部43には、第１の係合部としてのスリット44が第１の辺24aと平行でかつ孔状に形成されている。
【００４９】
また、第２のフラップ26は、側面部30bから折り目47を介して形成され、開口部23を覆う覆い部48、およびこの覆い部48の先端から折り目49を介して形成された押え部50を有している。
【００５０】
押え部50の先端には、箱本体24の収納部22内に折り曲げられた第１のフラップ25の上面に当接する当接部51、およびスリット44に差し込まれる第２の係合部としての突片52が突出形成されている。
【００５１】
また、蓋部27は、側面部30dから折り目55を介して形成された覆い部56、およびこの覆い部56の先端から折り目57を介して形成された差込部58を有し、覆い部56で開口部23の全体を覆い、差込部58が箱本体24の側面部30cと第１および第２のフラップ25，26との間に差し込まれる。
【００５２】
また、吊下げ表示部61は、側面部30cから上方に延長されている後面部62、この後面部62の上端から折り目63を介して後面部62の前面側に折り畳まれる前面部64を有し、前面部64の先端が箱本体24の内に差し込まれている。後面部62および前面部64には折り畳んだ状態で同じ位置にフック孔65が形成され、例えば店舗に設置される商品陳列用の吊下げ棚に設けられた鉤状のフックに挿通可能としている。
【００５３】
次に、包装箱12にランプ13を収納して包装する動作について説明する。
【００５４】
まず、箱本体24から第１および第２のフラップ25，26および蓋部27を開き、開口部23を開放した状態で、口金17を側面部30aへ向けたランプ13を開口部23から収納部22に挿入し、口金17および基体16の周面が箱本体24の底面側の内壁面に接触するようにランプ軸を斜め状態として収納配置する。
【００５５】
続いて、第１のフラップ25を箱本体24の開口部23から収納部22内に折り曲げながら押し込む。これにより、第１のフラップ25の先端の保持部43がランプ13の口金17側の周囲に嵌り込み、この保持部43が、箱本体24の底面側の内壁面との間でランプ13の口金17側の周囲を四方から囲んで上下方向および水平方向の位置を位置決め保持するとともに、ランプ軸が斜めに配置されているランプ13の傾斜状の外面との当接によってランプ13の口金17が側面部30aの方向へ移動するのを規制する。
【００５６】
続いて、第２のフラップ26の覆い部48を箱本体24の開口部23を覆うように折り曲げ、押え部50を箱本体24の開口部23から収納部22内に挿入し、押え部50の先端の突片52を第１のフラップ25のスリット44に差し込むとともに、当接部51を第１のフラップ25の上面に当接させる。
【００５７】
続いて、蓋部27の覆い部56を箱本体24の開口部23を覆うように折り曲げ、差込部58を箱本体24の側面部30cと第１および第２のフラップ25，26との間に差し込む。これにより、包装完了となり、包装箱12にランプ13が収納包装された包装体11が形成される。
【００５８】
そして、このようにランプ13を包装した包装箱12では、第１のフラップ25の保持部43が箱本体24の内側の所定の保持位置に折り曲げられていることにより、この保持部43が、箱本体24の底面側の内壁面との間でランプ13の口金17側の周囲を四方から囲んで上下方向および水平方向の位置を位置決め保持しているとともに、ランプ軸が斜めに配置されているランプ13の傾斜状の外面との当接によってランプ13の口金17が側面部30aの方向へ移動するのを規制している。
【００５９】
第２のフラップ26の押え部50の突片52が第１のフラップ25のスリット44に差し込まれているとともに、当接部51が第１のフラップ25の上面に当接し、第１のフラップ25を所定の保持位置に位置するように保持している。
【００６０】
さらに、蓋部27が第２のフラップ26を保持し、第２のフラップ26で第１のフラップ25を所定の保持位置に位置するように保持している。
【００６１】
そのため、ランプ13を収納した包装箱12を床面などに落した場合でも、第１のフラップ25は所定の保持位置に位置し、ランプ13を確実に保持しているため、ランプ13の口金17に衝撃が加わって損傷するのを防止できる。
【００６２】
このように、箱本体24との間でランプ13の口金17側を保持する第１のフラップ25の保持部43に、第２のフラップ26の押え部50が係合し、第１のフラップ25の保持部43によるランプ13の保持を確実に維持させることができるため、別の緩衝材を用いることなく、簡単な構成で、包装作業性もよく、ランプ13を確実に保護できる。
【００６３】
なお、第１および第２の実施の形態において、第１のフラップ25の第１の係合部および第２のフラップ26の第２の係合部は、スリット44および突片52に限らず、他の構成を用いてもよい。例えば、図１において、収納部22の内側に斜めに折り曲げられた第１のフラップ25と口金17との間に第２のフラップ26の押え部50の先端を差し込んで係合するだけでも、組立状態で押え部50は動かず、第１のフラップ25を確実に保持できる。この場合、第１のフラップ25の保持部43の上面が第１の係合部となり、第２のフラップ26の押え部50の先端が第２の係合部となる。
【符号の説明】
【００６４】
11    包装体
12    包装箱
13    ランプ
17    口金
22    収納部
23    開口部
24    箱本体
24a   第１の辺
24b   第２の辺
25    第１のフラップ
26    第２のフラップ
27    蓋部
43    保持部
44    第１の係合部としてのスリット
48    覆い部
50    押え部
52    第２の係合部としての突片
【図１】
2011157114.tif 000003
【図２】
2011157114.tif 000004
【図３】
2011157114.tif 000005
【図４】
2011157114.tif 000006
【図５】
2011157114.tif 000007
【図６】
2011157114.tif 000008
【図７】
2011157114.tif 000009
【図８】
2011157114.tif 000010
【図９】
2011157114.tif 000011